(57)【特許請求の範囲】
【請求項１】
ツリー状の有階位リンク網を構成する中継装置であって、
下位局から送信された複数の上り信号の中から上位回線へ送信する信号を１つ選択する第１の先取り優先選択手段と、
前記上位回線の障害時には、前記第１の先取り優先選択手段で選択された上り信号を下位側に折り返す信号折り返し手段と、
前記上位回線が障害状態であるかを検出する回線障害検出手段と、
当該中継装置内手段で折り返された複数の上り信号の中から下位回線へ送信する信号を１つ選択する第２の先取り優先選択手段と、を備え、
前記第１の先取り優先選択手段は前記上位回線を介して上位局と接続する上位インタフェース手段に設けられ、
前記第２の先取り優先選択手段は前記下位回線を介して下位局と接続する下位インタフェース手段に設けられ、
前記上位インタフェース手段および前記下位インタフェース手段は通信データバスによって互いに接続されていることを特徴とする中継装置。
【請求項２】
前記上位インタフェース手段の障害時、下位局から送信された上り信号は全て前記通信データバスで折り返され、前記下位インタフェース手段が有する前記第２の先取り優先選択手段で選択された信号が下位回線へ送信されることを特徴とする請求項１記載の中継装置。
【発明の詳細な説明】
【０００１】
【発明の属する技術分野】
本発明は、ツリー状の有階位デジタルリンク網を構成するシステムで用いられる、下位局と上位局とを中継する基地局等の中継装置に関する。
【０００２】
【従来の技術】
ツリー状の有階位デジタルリンク網を構成するシステムの一例を図１に示す。同図に示すように、当該システムでは、最上位の制御局１２と、基地局等の中継局１３と、携帯電話等の端末局１４とがデジタルリンク回線によってツリー状に接続されている。なお、ここでいうツリー状とは、図１に示したように最上位の制御局１４を頂点とする有階位網であり、ある中継局に着目した場合、その上位局は１つであるのに対して下位局はｎ局（ｎ≧１）あり、下位方路にのみ分岐が可能な網とする。
【０００３】
図７は、従来の中継装置である中継局１３の構成を示すブロック図である。同図に示すように、従来の中継装置（中継局１３）は、下位回線インタフェース部１と、無線回線インタフェース部２と、通信データバス３と、制御部４と、上位回線インタフェース部５と、先取り優先選択部６とを備えて構成されている。下位回線インタフェース部１および無線回線インタフェース部２は、それぞれが通信データバス３によって制御部４、上位回線インタフェース部５および先取り優先選択部６に接続されている。
【０００４】
下位回線インタフェース部１は、下位局から上位局への中継を行うための、デジタル専用線やマイクロ回線と通信する回線インタフェース部であって、下位局である他の中継局と通信を行うものである。また、無線回線インタフェース部２は、通信可能なエリア内にある端末局１４と無線通信を行うものである。また、上位回線インタフェース部５は、下位局から上位局への中継を行うための有線回線インタフェース部であって、上位局である他の中継局または制御局１２と通信を行うものである。
【０００５】
また、先取り優先選択部６は、通信データバス３を介して下位回線インタフェース部１または無線回線インタフェース部２から送られた複数の信号から、任意または予め優先度を定めた方路の信号を１つ選択して上位回線インタフェース部５へ伝送するものである。また、制御部４は、先取り優先選択部６または中継局３全体を制御するものである。
【０００６】
次に、中継局１３の動作について簡単に説明する。複数の下位局から送信されてきた信号は、下位回線インタフェース１または無線回線インタフェース部２で受信され、通信データバス３を経由して先取り優先選択部６に送られる。先取り優先選択部６は複数の下位局からの信号を１つ選択して上位回線インタフェース部５へと伝送し、上位回線インタフェース部５が上位局に信号を送信する。
【０００７】
【発明が解決しようとする課題】
しかしながら、上記従来の中継装置（中継局１３）にあっては、上位局へとつながる上位回線に障害が発生すると、下位局から受信した信号は装置内で止まってしまうため上位局へ中継することができなくなってしまう。最上位の制御局１２への通信ができなくなると、上り信号を折り返して下位局に分岐することができなくなるため、システムとして通信が中断されてしまうという問題点があった。また、先取り優先選択部６または上位回線インタフェース部５に障害が発生した場合であっても、当該先取り優先選択部６を有する中継装置に直結した全ての下位方路と通信継続が不可能になってしまうという問題点があった。
【０００８】
本発明は、上記従来の問題点に鑑みてなされたものであって、上位回線または装置の内部に障害が発生してもシステムに及ぼす影響を最小限に抑え、通信を継続することのできる中継装置を提供することを目的としている。
【０００９】
【課題を解決するための手段】
上記課題を解決するために、本発明に係る中継装置は、ツリー状の有階位リンク網を構成する中継装置であって、下位局から送信された複数の上り信号の中から上位回線へ送信する信号を１つ選択する第１の先取り優先選択手段と、前記上位回線の障害時には、前記第１の先取り優先選択手段で選択された上り信号を下位側に折り返す信号折り返し手段と、前記上位回線が障害状態であるかを検出する回線障害検出手段と、当該中継装置内手段で折り返された複数の上り信号の中から下位回線へ送信する信号を１つ選択する第２の先取り優先選択手段と、を備え、前記第１の先取り優先選択手段は前記上位回線を介して上位局と接続する上位インタフェース手段に設けられ、前記第２の先取り優先選択手段は前記下位回線を介して下位局と接続する下位インタフェース手段に設けられ、前記上位インタフェース手段および前記下位インタフェース手段は通信データバスによって互いに接続されている。したがって、上位回線に障害が発生した場合でも下位局からの上り信号は信号折り返し手段で折り返されるため、下位局との通信を継続することができる。結果として、システムに及ぼす影響を最小限に抑えることができる。
【００１３】
さらに、本発明に係る中継装置は、前記上位インタフェース手段の障害時、下位局から送信された上り信号は全て前記通信データバスで折り返され、前記下位インタフェース手段が有する前記第２の先取り優先選択手段で選択された信号が下位回線へ送信される。したがって、上位インタフェース手段に障害が発生した場合でも下位局との通信を継続することができ、システムに及ぼす影響を最小限に抑えることができる。
【００１４】
【発明の実施の形態】
本発明に係る中継装置は、ツリー状の有階位デジタルリンク網を構成するシステムで用いられる、下位局と上位局とを中継する基地局等である。まず、ツリー状の有階位デジタルリンク網を構成するシステムの一例を図１に示す。同図に示すように、当該システムでは、最上位の制御局１２と、基地局等の中継局１００と、携帯電話等の端末局１４とがデジタルリンク回線によってツリー状に接続されている。なお、ここでいうツリー状とは、図１に示したように最上位の制御局１４を頂点とする有階位網であり、ある中継局に着目した場合、その上位局は１つであるのに対して下位局はｎ局（ｎ≧１）あり、下位方路にのみ分岐が可能な網とする。
【００１５】
以下、本発明に係る中継装置の一実施形態について、図面を参照して詳細に説明する。
図２は、本発明に係る一実施形態の中継装置である中継局１００の構成を示すブロック図である。同図に示すように、本実施形態の中継装置（中継局１００）は、特許請求の範囲の下位インタフェース手段に該当する下位回線インタフェース部１０１および無線回線インタフェース部１０３と、通信データバス１０５と、制御部１０７と、上位インタフェース手段に該当する上位回線インタフェース部１０９とを備えて構成されている。下位回線インタフェース部１０１および無線回線インタフェース部１０３は、それぞれが通信データバス１０５によって制御部１０７と上位回線インタフェース部１０９とに接続されている。
【００１６】
以下、本実施形態の中継装置が有する各構成要素について説明する。
まず、下位回線インタフェース部１０１は、下位局から上位局への中継を行うための、デジタル専用線やマイクロ回線と通信する回線インタフェース部であって、下位局である他の中継局と通信を行うものである。また、無線回線インタフェース部１０３は、通信可能なエリア内にある端末局１４と無線通信を行うものである。なお、図２に示した中継装置は２つの下位回線インタフェース部１０１と１つの無線回線インタフェース部１０３とを有しているが、いずれかのインタフェース部を備えていても良く、その数は１つであっても複数であっても良い。
【００１７】
また、本実施形態の下位回線インタフェース部１０１および無線回線インタフェース部１０３は、特許請求の範囲の第２の先取り優先選択手段に該当する先取り優先選択部１１１ａを有している。この先取り優先選択部１１１ａは、上位回線または上位回線インタフェース部１０９に障害が発生したときに折り返されてきた複数の上り信号から、下位回線に折り返す信号を１つ選択するものである。
【００１８】
上位回線インタフェース部１０９は、下位局から上位局への中継を行うための有線回線インタフェース部であって、上位局である他の中継局または制御局１２と通信を行うものである。本実施形態の上位回線インタフェース部１０９は、特許請求の範囲の第１の先取り優先選択手段に該当する先取り優先選択部１１１ｂ、回線障害検出手段に該当する回線障害検出部１１３および信号折り返し手段に該当する信号折り返し部１１５を有している。
【００１９】
先取り優先選択部１１１ｂは、通信データバス１０５を介して下位回線インタフェース部１０１または無線回線インタフェース部１０３から送られた複数の信号から、任意または予め優先度を定めた方路の信号を１つ選択するものである。また、回線障害検出部１１３は、上位回線の障害を検出するものである。また、信号折り返し部１１５は、上位回線に障害が発生しており上り信号を伝送することができないときに、当該上り信号を通信データバス１０５を介して下位回線インタフェース部１０１と無線回線インタフェース部１０３とに折り返すものである。
【００２０】
さらに、制御部１０７は、下位回線インタフェース部１０１、無線回線インタフェース部１０３および上位回線インタフェース部１０９を制御するものであり、具体的には、回線障害検出部１１３に上位回線の状態を問い合わせたり、上位回線に障害が発生した際、信号折り返し部１１５に信号折り返し処理を実行するよう指示したり、上位回線インタフェース部１０９に障害が発生した際、下位回線インタフェース部１０１および無線回線インタフェース部１０３の先取り優先選択部１１１ｂに対して先取り優先選択処理を実行するよう指示する。
【００２１】
上記構成要素を備えた本実施形態の中継装置（中継局１００）が従来（中継局１３）と異なる代表的な点は、信号折り返し部７で信号を折り返すことを可能とし、先取り優先選択部を下位回線インタフェース部１０１、無線回線インタフェース部１０３および上位回線インタフェース部１０９に設けている点である。
【００２２】
次に、本実施形態の中継装置（中継局１００）の動作について、図３〜図５を参照して説明する。なお、図３は通常運用時における中継装置の動作を示すシーケンスチャートであり、図４は上位回線障害時における中継装置の動作を示すシーケンスチャートであり、図５は上位回線インタフェース部障害時における中継装置の動作を示すシーケンスチャートである。
【００２３】
まず、図３を参照して通常運用時における中継装置の動作について説明する。制御部１０７は上位回線インタフェース部１０９の回線障害検出部１１３に状態の問い合わせを行い、正常状態であることを示す通知を受け取ることによって上位回線および上位回線インタフェース部１０９が通常運用されていると判断する。このとき、下位局から送信され下位回線インタフェース部１０１または無線回線インタフェース部１０３で受信された上り信号は、通信データバス１０５を介して上位回線インタフェース部１０９の先取り優先選択部１１１ｂへと伝送される。先取り優先選択部１１１ｂで選択された上り信号は、信号折り返し部１１５を経由して上位局に向けてそのまま上位回線に送られる。
【００２４】
次に、図４を参照して上位回線障害時における中継装置の動作について説明する。上位回線に障害が発生するまでは、上記説明した通常運用時における動作と同様であるが、上位回線に障害が発生すると、上位回線インタフェース部１０９の回線障害検出部１１３がこれを検出する。このとき、制御部１０７から状態の問い合わせが行われると、上位回線インタフェース部１０９は障害状態であることを示す通知を制御部１０７に送る。この通知を受け取った制御部１０７は、上位回線インタフェース部１０９の信号折り返し部１１５に対して上り信号を折り返すよう指示する。したがって、信号折り返し部１１５は、先取り優先選択部１１１ｂから送られた上り信号を通信データバス１０５を介して下位回線インタフェース部１０１または無線回線インタフェース部１０３に折り返す。各インタフェース部１０１，１０３に折り返された上り信号は、この後下位局へと送信される。なお、上位回線が復旧した際には通常運用時の動作に戻り、上り信号は再び上位回線へ送信される。
【００２５】
次に、図５を参照して上位回線インタフェース部１０９障害時における中継装置の動作について説明する。上位回線インタフェース部１０９に障害が発生するまでは、上記説明した通常運用時における動作と同様であるが、図６に示すように、上位回線インタフェース部１０９に障害が発生すると、制御部１０７は状態の問い合わせを行っても通知を受けることがないか、上位回線インタフェース部１０９の障害状態が通知される。このとき、下位回線インタフェース部１０１または無線回線インタフェース部１０３から送信された全ての上り信号は通信データバス１０５にて下位回線インタフェース部１０１および無線回線インタフェース部１０３へと折り返される。また、制御部１０７は、下位回線インタフェース部１０１および無線回線インタフェース部１０３の先取り優先選択部１１１ａに対して先取り優先選択処理を行うよう指示する。したがって、各インタフェース部１０１，１０３に折り返された信号で先取り優先選択部１１１ａが選択した信号は下位局へと送信される。なお、上位回線インタフェース部１０９が復旧した際には通常運用時の動作に戻り、上り信号は再び上位回線へ送信される。
【００２６】
以上説明したように、本実施形態の中継装置によれば、上位回線インタフェース部１０９に信号折り返し部１１５および先取り優先選択部１１１ｂを設けることにより、上位回線に障害が発生しても上り信号は下位局に折り返されるため、下位局との通信を継続することができる。さらに、下位回線インタフェース部１０１および無線回線インタフェース部１０３に先取り優先選択部１１１ａを設けることによって、上位回線インタフェース部１０９に障害が発生しても上り信号は下位局に折り返されるため、下位局との通信を継続することができる。結果として、上位回線または上位回線インタフェース部１０９に障害が発生しても、本実施形態の中継装置を備えたシステムに及ぼす影響を最小限に抑えることができる。
【００２７】
【発明の効果】
以上説明したように、本発明の中継装置によれば、上位回線に障害が発生した場合でも下位局からの上り信号は信号折り返し手段で折り返されるため、下位局との通信を継続することができる。また、上位インタフェース手段に障害が発生した場合でも上り信号は通信データバスで折り返されるため、下位局との通信を継続することができる。結果として、中継装置を備えたシステムに及ぼす影響を最小限に抑えることができる。
【図面の簡単な説明】
【図１】ツリー状の有階位デジタルリンク網を構成するシステムの一例示すブロック図
【図２】本発明に係る一実施形態の中継装置の構成を示すブロック図
【図３】通常運用時における中継装置の動作を示すシーケンスチャート
【図４】上位回線障害時における中継装置の動作を示すシーケンスチャート
【図５】上位回線インタフェース部障害時における中継装置の動作を示すシーケンスチャート
【図６】上位回線インタフェース部に障害が発生した一実施形態の中継装置の構成を示すブロック図
【図７】従来の中継装置の構成を示すブロック図
【符号の説明】
１２  制御局
１００  中継局
１４  端末局
１０１  下位回線インタフェース部
１０３  無線回線インタフェース部
１０５  通信データバス
１０７  制御部
１０９  上位回線インタフェース部
１１１ａ，１１１ｂ  先取り優先選択部
１１３  回線障害検出部
１１５  信号折り返し部
【図１】
0004717277.tif 000002
【図２】
0004717277.tif 000003
【図３】
0004717277.tif 000004
【図４】
0004717277.tif 000005
【図５】
0004717277.tif 000006
【図６】
0004717277.tif 000007
【図７】
0004717277.tif 000008